(57)【要約】【課題】通信品質を効果的に高める。【解決手段】通信システム１００において、受信装置１３０におけるジッタ測定部１４０は、受信したビットストリームに対して、周波数域が互いに異なる複数の周波数成分の位置毎のジッタ量Ｑ１、Ｑ２、Ｑ３を測定する。調整部１９０は、ジッタ測定部１４０が測定したジッタ量Ｑ１、Ｑ２、Ｑ３の総和が最小となるように、通信品質を制御するパラメータ、例えば送信装置１１０におけるプリエンファシス部１１２によるプリエンファシスの強度を調整する。【選択図】図１
2014154963.tif 000002
【特許請求の範囲】
【請求項１】
伝送路を介して受信したビットストリームに対して、周波数域が互いに異なる複数の周波数成分の位置毎にジッタ量を測定するジッタ測定部と、
前記ジッタ測定部により測定された複数の前記ジッタ量の総和が最小となるように、通信品質の制御パラメータを制御する調整部とを備える、
通信品質制御装置。
【請求項２】
前記制御パラメータは、前記ビットストリームの送信側で行われるプリエンファシスの強度と、前記ビットストリームの受信側で行われるイコライジングの強度の片方または両方を含む、
請求項１に記載の通信品質制御装置。
【請求項３】
前記ビットストリームの同期制御信号部は、高周波数成分部と、中間周波数成分部と、低周波数成分部を有し、
前記ジッタ測定部は、前記ビットストリームの前記同期制御信号部における前記高周波数成分部と前記中間周波数成分部と前記低周波数成分部の位置毎にジッタ量を測定する、
請求項１または２に記載の通信品質制御装置。
【請求項４】
前記同期制御信号部は、所定の符号パターンを含む同期コントロールワード部であり、
前記ジッタ測定部は、前記所定の符号パターンの位置を検出すると共に、該所定の符号化パターンからの遅延量に応じて前記前記高周波数成分部と前記中間周波数成分部と前記低周波数成分部の位置を特定する、
請求項３に記載の通信品質制御装置。
【請求項５】
伝送路を介して送信されたビットストリームを受信する受信装置であって、
受信した前記ビットストリームに対して、周波数域が互いに異なる複数の周波数成分の位置毎にジッタ量を測定するジッタ測定部と、
前記ジッタ測定部により測定された複数の前記ジッタ量の総和が最小となるように、通信品質の制御パラメータを制御する調整部とを備える、
受信装置。
【請求項６】
前記調整部は、前記制御パラメータとして、前記ビットストリームの送信側で行われるプリエンファシスの強度を制御する、
請求項５に記載の受信装置。
【請求項７】
受信した前記ビットストリームに対してイコライジングを行うイコライザをさらに備え、
前記調整部は、前記制御パラメータとして、前記イコライザによるイコライジングの強度を制御する、
請求項５または６に記載の受信装置。
【請求項８】
前記ビットストリームの同期制御信号部は、高周波数成分部と、中間周波数成分部と、低周波数成分部を有し、
前記ジッタ測定部は、前記ビットストリームの前記同期制御信号部における前記高周波数成分部と前記中間周波数成分部と前記低周波数成分部の位置毎にジッタ量を測定する、
請求項５から７のいずれか１項に記載の受信装置。
【請求項９】
前記同期制御信号部は、所定の符号パターンを含む同期コントロールワード部であり、
前記ジッタ測定部は、前記所定の符号パターンの位置を測定すると共に、該所定の符号化パターンからの遅延量に応じて前記前記高周波数成分部と前記中間周波数成分部と前記低周波数成分部の位置を特定する、
請求項８に記載の受信装置。
【請求項１０】
受信したビットストリームに対して、周波数域が互いに異なる複数の周波数成分の位置毎にジッタ量を測定し、
測定された複数の前記ジッタ量の総和が最小となるように、通信品質の制御パラメータを制御する、
通信品質制御方法。
【発明の詳細な説明】
【技術分野】
【０００１】
本発明は通信品質の制御技術に関する。
【背景技術】
【０００２】
通信品質を高めるために、種々の制御パラメータを調整することが行われている。これらの制御パラメータは、例えば、送信側のプリエンファシスの強度や、受信側のイコライザの強度などがある。
【０００３】
プリエンファシスの強度を調整する手法は、例えば、受信側でＢＥＲ（Ｂｉｔ  Ｅｒｒｏｒ  Ｒａｔｅ：ビット・エラー・レート）を測定し、ＢＥＲが小さくように送信側に対してプリエンファシスの強度を設定する技術が知られている。
【０００４】
また、特許文献１には、送信側からサンプルデータを送信し、受信側で該サンプルデータの受信波形のアイパターンの開口度を測定し、測定結果に応じて送信側に対してプリエンファシスの強度を設定する技術が開示されている。
【０００５】
また、特許文献２には、受信側でジッタ量を測定し、測定したジッタ量に応じて制御パラメータの１つまたは複数を調整する技術が開示されている。
【先行技術文献】
【特許文献】
【０００６】
【特許文献１】特開２００７−０５３６４８号公報
【特許文献２】特開２００３−２５８９２４号公報
【発明の概要】
【発明が解決しようとする課題】
【０００７】
ＢＥＲの測定には時間がかかるため、受信信号のＢＥＲの測定結果に応じて調整を行う手法は、調整が完了するまでの時間が長いという欠点がある。
【０００８】
また、サンプルデータの受信波形のアイパターンの開口度の測定結果に応じて調整を行う方法は、サンプルデータを送信する必要がある、調整のためにデータ通信が遮断されるという欠点がある。
【０００９】
受信信号のジッタ量の測定結果に応じて調整を行う手法は、ＢＥＲの測定結果に応じて調整する方法より調整時間を短縮することができると共に、調整のためにデータ通信を遮断する必要も無く、適切な手法であると考えられる。
【００１０】
特許文献２に開示されたジッタ検出回路は、受信信号を２値変換して得た２値化等化データに対して、それに含まれる同期クロックの位相を９０度遅延させ、フリップフロップ回路により、遅延させられた同期クロックを該２値化等化データの立ち上がりエッジまたは立ち下がりエッジでサンプリングし、フリップフロップ回路の出力の平均値をジッタ量として検出する。
【００１１】
しかし、この手法により検出されたジッタ量が平均値であるため、制御パラメータの調整により得られる効果が限定的である。
【００１２】
本発明は、上記事情に鑑みてなされたものであり、通信品質を効果的に高めることができる技術を提供する。
【課題を解決するための手段】
【００１３】
本発明の１つの態様は、通信品質制御方法である。該方法は、受信したビットストリームに対して、周波数域が互いに異なる複数の周波数成分の位置毎にジッタ量を測定する。そして、測定された複数の前記ジッタ量の総和が最小となるように、通信品質の制御パラメータを制御する。
【００１４】
なお、上記態様の制御方法を装置やシステムに置き換えて表現したもの、該制御方法を実行する受信装置、該受信装置に対応する送信装置、該受信装置と送信装置を含む通信システム、該制御方法をコンピュータに実行せしめるプログラムなども、本発明の態様としては有効である。
【発明の効果】
【００１５】
本発明にかかる技術によれば、通信品質を効果的に高めることができる。
【図面の簡単な説明】
【００１６】
【図１】本発明の第１の実施の形態にかかる通信システムを示す図である。
【図２】図１に示す通信システムの受信装置におけるジッタ測定部の構成例を示す図である。
【図３】図２に示す受信装置におけるジッタヒストグラム測定部を示す図である。
【図４】図２に示すジッタ測定部の処理を説明するための図である（その１）。
【図５】図２に示すジッタ測定部の処理を説明するための図である（その２）。
【図６】図２に示すジッタ測定部の処理を説明するための図である（その３）。
【図７】本発明の第２の実施の形態にかかる通信システムを示す図である。
【発明を実施するための形態】
【００１７】
以下、図面を参照して本発明の実施の形態について説明する。説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。なお、各図面において、同一の要素には同一の符号が付されており、必要に応じて重複説明は省略されている。
【００１８】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１９】
＜第１の実施の形態＞
図１は、第１の実施の形態にかかる通信システム１００を示す図である。通信システム１００は、送信装置１１０と受信装置１３０を備え、伝送路１２０を介して送信装置１１０から受信装置１３０へデータの送信が行われる。
【００２０】
送信装置１１０は、プリエンファシス部１１２を備え、送信時に、送信データＤＳ０に対してプリエンファシスを行って送信データＤＳ１を得、該送信データＤＳ１を伝送路１２０に送出する。
【００２１】
プリエンファシス部１１２は、受信装置１３０からの制御信号ＣＴＲ１を受信し、該制御信号ＣＴＲ１に応じた強度のプリエンファシスを送信データＤＳ０に対して施す。
【００２２】
受信装置１３０は、ジッタ測定部１４０と調整部１９０を備える。
ジッタ測定部１４０は、受信したビットストリーム（以下「受信ビットストリーム」という）ＤＲに対してジッタ量の測定を行う。本実施の形態において、ジッタ測定部１４０は、受信ビットストリームＤＲと閾値ＣＲＶが入力され、３つのジッタ量（第１のジッタ量Ｑ１、第２のジッタ量Ｑ２、第３のジッタ量Ｑ３）を測定して、調整部１９０に出力する。ジッタ測定部１４０及び３つのジッタ量については、後に詳細に説明する。
【００２３】
調整部１９０は、ジッタ測定部１４０からの３つのジッタ量Ｑ１〜Ｑ３に基づいて、該３つのジッタ量の合計が最小となるように、プリエンファシスの強度を示す制御信号ＣＴＲ１を生成してプリエンファシス部１１２に送信する。
【００２４】
図２は、受信装置１３０におけるジッタ測定部１４０の一構成例を示す。図２に示すように、ジッタ測定部１４０は、サンプリングクロック生成部１４２、基準タイミング生成部１４４、ジッタヒストグラム測定部１４６、を備える。
【００２５】
サンプリングクロック生成部１４２は、受信ビットストリームＤＲを２値変換するためのサンプリングクロックＣＬＫを生成して基準タイミング生成部１４４とジッタヒストグラム測定部１４６に出力する。
【００２６】
基準タイミング生成部１４４には、受信ビットストリームＤＲと、サンプリングクロック生成部１４２により生成されたサンプリングクロックＣＬＫとが入力される。基準タイミング生成部１４４は、受信ビットストリームＤＲから、該受信ビットストリームＤＲに含まれる同期制御信号部を検出する。
【００２７】
受信ビットストリームＤＲに含まれる同期制御信号部は、同期制御のための信号であり、通常、フレームの先頭に設けられる。また、該同期制御信号部の信号パターンは、通信規格に応じて異なる。ここでは、例として、受信ビットストリームＤＲの同期制御信号部は、無線基地局装置のＲＥＣ、ＲＥ間に使用されているＣＰＲＩインタフェースにおける、８ｂ／１０ｂコード変換表にける特殊符号「Ｋ２８．５」が先頭に設けられた同期コントロールワードであるとする。
【００２８】
該同期コントロールワードに含まれるＫ２８．５（ＲＤ＋）部分には、連続５ビットの「１」となる特殊符号パターンがある。基準タイミング生成部１４４は、この連続５ビットの「１」を検出し、検出結果に基づいて、基準タイミングを示す基準タイミング信号ＲＴを生成してジッタヒストグラム測定部１４６に出力する。
【００２９】
ジッタヒストグラム測定部１４６には、閾値ＣＲＶ、サンプリングクロックＣＬＫ、基準タイミング信号ＲＴが入力される。ジッタヒストグラム測定部１４６は、これらの信号に基づいて、受信ビットストリームＤＲから３つのジッタ量Ｑ１〜Ｑ３を測定する。
【００３０】
図３は、ジッタヒストグラム測定部１４６の構成例を示す。図示のように、ジッタヒストグラム測定部１４６は、コンパレータ１５０、カウンタ１５２、パルス生成部１５４、アドレス生成部１５６、メモリ１５８、演算部１６０を備える。
【００３１】
コンパレータ１５０には、受信ビットストリームＤＲと閾値ＣＲＶが入力される。コンパレータ１５０は、受信ビットストリームＤＲと閾値ＣＲＶを比較し、受信ビットストリームＤＲのレベルが閾値ＣＲＶのレベルを超えたか否かを判定し、判定結果を示す出力ＣＯＵＴをカウンタ１５２に出力する。
【００３２】
カウンタ１５２は、２つのリセット入力端子（図中「リセット１」、「リセット２」）と１つのクロック入力端子（図中「クロック」）を備え、２つのリセット入力端子には、コンパレータ１５０の出力ＣＯＵＴと、基準タイミング生成部１４４が生成した基準タイミング信号ＲＴが夫々入力され、クロック端子には、サンプリングクロック生成部１４２が生成したサンプリングクロックＣＬＫが入力される。
【００３３】
カウンタ１５２は、コンパレータ１５０の出力ＣＯＵＴと基準タイミング信号ＲＴをリセット条件とし、カウント値ＣＮＴをメモリ１５８に出力する。
【００３４】
パルス生成部１５４は、基準タイミング信号ＲＴとサンプリングクロックＣＬＫが入力され、カウント値ＣＮＴの保存を指示するライト信号ＷＳを生成してメモリ１５８に出力する。
【００３５】
パルス生成部１５４は、基準タイミング信号ＲＴとサンプリングクロックＣＬＫが入力され、カウント値ＣＮＴの保存場所を示す書込アドレスＡＤＲを生成してメモリ１５８に出力する。
【００３６】
メモリ１５８は、パルス生成部１５４からのライト信号ＷＳが示すタイミングで、アドレス生成部１５６が生成した書込アドレスＡＤＲに、カウンタ１５２からのカウント値ＣＮＴを保存する。
【００３７】
演算部１６０は、メモリ１５８に保存されたカウント値ＣＮＴに基づいて、ジッタ量Ｑ１〜Ｑ３を算出して調整部１９０に供する。
【００３８】
次いで、通信システム１００、特に受信装置１３０の動作を具体的に説明する。
送信装置１１０から送信されるビットストリーム（送信データＤＳ１）は、伝送路１２０を通して受信装置１３０に到達する。受信装置１３０が受信したデータは、受信ビットストリームＤＲである。
【００３９】
送信データＤＳ１は、「０」「１」が交互に出現するパターンが繰り返される部分が高周波数成分であり、「１１１」や「０００」のような、「１」または「０」が複数連続するパターンの部分が低周波数成分である。該送信データＤＳ１が伝送路１２０を介して伝達されている過程で、低周波数成分よりも高周波数成分のほうが減衰量が大きいため、受信ビットストリームＤＲにジッタが発生する。
【００４０】
ジッタ測定部１４０は、周波数域が互いに異なる複数の周波数成分の位置毎にジッタ量を測定する。本実施の形態においては、ジッタ測定部１４０は、例として、３つの周波数成分毎にジッタ量を測定する。この３つの周波数成分は、高周波数成分、中間周波数成分、低周波数成分である。
【００４１】
サンプリングクロック生成部１４２は、図示しないデータ・リカバリ・クロック生成回路とＰＬＬ回路を備える。データ・リカバリ・クロック生成回路は、受信ビットストリームＤＲから同期クロックを生成し、ＰＬＬ回路は、該同期クロックを所望の周波数に引き上げ、サンプリングクロックＣＬＫを得る。
【００４２】
基準タイミング生成部１４４は、まず、同期コントロールワード内の上述した特殊パターンを検出する。そして、検出した該特殊パターンの位置から所定量遅延した位置を基準タイミング検出位置として特定し、該基準タイミング検出位置に同期するように基準タイミング信号ＲＴを生成する。ジッタヒストグラム測定部１４６は、基準タイミング信号ＲＴから、同期コントロールワードにおける上記３つの周波数成分の位置を推定する。
【００４３】
上述したように、「Ｋ２８．５」が連続する５ビットの「１」からなる特殊パターンを有するため、容易に検出することができる。これについて、図４を参照してさらに詳細に説明する。
【００４４】
図４に示すように、受信ビットストリームＤＲのフレームの先頭に同期コントロールワードが設けられており、該同期コントロールワードは、先頭からの順で、８ｂ／１０ｂコードの「Ｋ２８．５」（特殊符号）部分（ＲＤ＋）、「Ｄ１６．５」（ＲＤ−）部分、「Ｄ１６．５」（ＲＤ＋）部分により構成される。先頭の「Ｋ２８．５」部分は、１０ビットを有し、３ビット目からの連続する５ビットが「１」である。
【００４５】
基準タイミング生成部１４４は、５ビットの「１」が連続する特殊パターンを検出することにより「Ｋ２８．５」の位置を特定し、「Ｋ２８．５」のビットストリームの７ビット目の「１」から８ビット目の「０」に遷移するタイミングを基準タイミング検出位置とし、該基準タイミング検出位置に同期するように基準タイミング信号ＲＴを生成する。
【００４６】
ジッタヒストグラム測定部１４６は、ジッタ量の測定位置として、図４に示す第１の測定位置、第２の測定位置、第３の測定位置を特定する。
【００４７】
図４に示すように、同期コントロールワードのビットストリームにおいて、基準タイミング検出位置からの４ビット目〜６ビット目の３ビットは、「００１」であり、２つの同一の符号（ここでは「０」）が連続した後に別の符号（ここでは「１」）が続くパターンである。
【００４８】
また、基準タイミング検出位置からの９ビット目〜１１ビット目の３ビットは、「１０１」であり、「０」と「１」が交互に出現するパターンである。
【００４９】
また、基準タイミング検出位置からの１８ビット目〜２０ビット目の３ビットは、「１１１」であり、３ビットの同一の符号「１」）が連続したパターンである。
【００５０】
そのため、基準タイミング検出位置の６ビット目の後の立ち上がりは、中間周波数成分であり、１１ビット目の後の立ち上がりは、高周波数成分であり、２０ビット目の後の立ち下がりは、低周波数成分であると考えることができる。
【００５１】
図５を参照して、ジッタヒストグラム測定部１４６の動作を説明する。
コンパレータ１５０は、受信ビットストリームＤＲのレベルと閾値ＣＲＶのレベルの比較を行い、受信ビットストリームＤＲが閾値ＣＲＶを越えたときに信号ＣＯＵＴに「Ｈ」を出力し、受信ビットストリームＤＲが閾値ＣＲＶ未満であるときに信号ＣＯＵＴに「Ｌ」を出力する。
【００５２】
カウンタ１５２は、基準タイミング信号ＲＴの立ち上がりでカウントアップを開始する。これに伴い、図５に示すように、サンプリングクロックＣＬＫの両エッジでカウント値ＣＮＴがインクリメントされる。
【００５３】
コンパレータ１５０の出力ＣＯＵＴが「Ｈ」になったとき（すなわち受信ビットストリームＤＲが閾値ＣＲＶを越えたとき）に、カウンタ１５２は、カウントを停止する。このときのカウント値ＣＮＴが「７」である。
【００５４】
そして、基準タイミング信号ＲＴの立下りでライト信号ＷＳがアサートし、アドレス０１ｈにカウント値ＣＮＴ（「７」）がメモリ１５８にライトされる。
【００５５】
上述した動作が、同期コントロールワードが検出される度に行われ、メモリ１５８にカウント値ＣＮＴが蓄積される。
【００５６】
図６を参照して、ジッタヒストグラム測定部１４６によるジッタヒストグラムの測定を説明する。
【００５７】
基準タイミング信号ＲＴの立ち上がりから、サンプリングクロックＣＬＫに同期してカウントアップしたカウンタ値ＣＮＴがメモリ１５８に蓄積される処理は、各測定位置（第１の測定位置、第２の測定位置、第３の測定位置）毎に一定の間行われる。
【００５８】
そして、演算部１６０（例えばＣＰＵ）は、メモリ１５８からカウンタ値ＣＮＴを読み出し、統計処理を行うことでジッタヒストグラムを生成し、中央値と２σ（分散）を求める。ここで、ジッタヒストグラムの中央値（基準タイミング信号からの遅延量）と２σは、受信波形のジッタ量を意味する。
【００５９】
なお、図６は、基準タイミング信号ＲＴの立上がりからの動作を示しているが、基準タイミング信号ＲＴの立下りからの動作は、受信波形が反転するだけで、ジッタヒストグラムが同様に生成される。
【００６０】
ジッタヒストグラム測定部１４６は、このようにして３つの測定位置毎にジッタ量を測定し、夫々の位置に対応するジッタ量Ｑ１〜Ｑ３を調整部１９０に出力する。なお、ジッタ量Ｑ１〜Ｑ３は、夫々、対応する測定位置に対して求められたジッタヒストグラムの中央値と２σを含む。
【００６１】
調整部１９０は、各測定位置のジッタ量（中央値と２σ）の総和を求め、求められた総和が最小となるように、送信装置１１０におけるプリエンファシス部１１２によるプリエンファシス強度を制御パラメータを変更する。
【００６２】
本実施の形態の通信システム１００によれば、受信信号のジッタ量を測定し、測定したジッタ量に基づいてプリエンファシスの強度を制御するので、ＢＥＲに基づいてプリエンファシスの強度を制御する方法より調整にかかる時間が短い。また、調整のためにサンプルデータを送信する必要がないので、ユーザデータの通信を遮断する必要が無い。
【００６３】
さらに、周波数域が互いに異なる複数の周波数成分毎にジッタ量を測定し、これらのジッタ量の総和が最小となるように調整を行うため、受信信号のジッタ量の平均値に基づいて調整を行う手法より、通信品質をより良く制御できる。
【００６４】
＜第２の実施の形態＞
図７は、本発明の第２の実施の形態にかかる通信システム２００を示す。通信システム２００は、送信装置２１０と受信装置２３０を備え、伝送路２２０を介して送信装置２１０から受信装置２３０へ送信データＤＳ０の送信が行われる。
【００６５】
受信装置２３０は、イコライザ２３２、ジッタ測定部１４０、調整部２９０を備える。イコライザ２３２は、受信した信号（受信ビットストリームＤＲ０）をイコライジングし、受信ビットストリームＤＲ１を得る。
【００６６】
ジッタ測定部１４０は、受信ビットストリームＤＲの代わりに、イコライジングにより得られた受信ビットストリームＤＲ１が入力される点を除き、通信システム１００における受信装置１３０のジッタ測定部１４０と同様である。ジッタ測定部１４０は、測定した３つのジッタ量Ｑ１〜Ｑ３を調整部２９０に出力する。
【００６７】
調整部２９０は、ジッタ測定部１４０からの３つのジッタ量の総和が最小となるようにイコライザ２３２によるイコライジングの強度を制御する。具体的には、イコライジングの強度を設定する制御信号ＣＴＲ２を生成してイコライザ２３２に出力する。
【００６８】
本第２の実施の形態にかかる通信システム２００によれば、通信システム１００のときに説明したプリエンファシスの強度の調整についての効果を、イコライジングの強度の調整について得ることができる。
【００６９】
以上、実施の形態をもとに本発明を説明した。実施の形態は例示であり、本発明の主旨から逸脱しない限り、上述した各実施の形態に対してさまざまな変更、増減、組合せを行ってもよい。これらの変更、増減、組合せが行われた変形例も本発明の範囲にあることは当業者に理解されるところである。
【００７０】
例えば、通信システム１００は、受信側で測定した３つのジッタ量の総和が最小となるように送信側のプリエンファシスの強度を制御し、通信システム２００は、受信側で測定した３つのジッタ量の総和が最小となるように受信側で行うイコライジングの強度を制御しているが、受信側で測定した３つのジッタ量の総和が最小となるように、送信側のプリエンファシスの強度と受信側のイコライジングの強度の両方を制御するようにしてもよい。
【００７１】
また、受信側で測定した３つのジッタ量の総和に応じて調整するパラメータは、送信側のプリエンファシスの強度と受信側のイコライジングの強度に限らず、通信品質に関係する如何なるパラメータであってもよい。
【００７２】
また、測定するジッタ量の数も、３つに限らず、例えば高周波数成分と低周波数成分毎にジッタ量を測定し、２つのジッタ量の総和に応じて調整を行うようにしてもよい。勿論、周波数成分を３つ以上の段階に分けてもよい。
【符号の説明】
【００７３】
１００  通信システム
１１０  送信装置
１１２  プリエンファシス部
１２０  伝送路
１３０  受信装置
１４０  ジッタ測定部
１４２  サンプリングクロック生成部
１４４  基準タイミング生成部
１４６  ジッタヒストグラム測定部
１５０  コンパレータ
１５２  カウンタ
１５４  パルス生成部
１５６  アドレス生成部
１５８  メモリ
１６０  演算部
１９０  調整部
２００  通信システム
２１０  送信装置
２２０  伝送路
２３０  受信装置
２３２  イコライザ
２９０  調整部
ＡＤＲ  書込アドレス
ＣＬＫ  サンプリングクロック
ＣＮＴ  カウント値
ＣＯＵＴ  コンパレータ１５０の出力
ＣＲＶ  閾値
ＣＴＲ１、ＣＴＲ２  制御信号
ＤＳ０、ＤＳ１  送信データ
ＤＲ、ＤＲ０、ＤＲ１  受信ビットストリーム
Ｑ１、Ｑ２、Ｑ３  ジッタ量
ＲＴ  基準タイミング信号
ＷＳ  ライト信号
【図１】
2014154963.tif 000003
【図２】
2014154963.tif 000004
【図３】
2014154963.tif 000005
【図４】
2014154963.tif 000006
【図５】
2014154963.tif 000007
【図６】
2014154963.tif 000008
【図７】
2014154963.tif 000009